(57)【特許請求の範囲】
【請求項１】
第1通信機器はネットワークノードから第1許可情報を受信し、前記第1許可情報は少なくともリソースを割り当てるための第1リソース割り当て情報を含むこと、
前記第1通信機器は第2通信機器から第2許可情報を受信し、前記第2許可情報が少なくともサービスデータの変調符号化モードを含むこと、
前記第1許可情報及び前記第2許可情報は前記第1通信機器と前記第2通信機器との間のサービスデータの伝送をスケジューリングすることに用いられること、
前記第1通信機器は前記スケジューリングに基づいて前記第2通信機器が伝送されたサービスデータを受信し、及び／又は、前記第1通信機器は前記スケジューリングに基づいて前記第2通信機器にサービスデータを伝送することを含む無線通信方法。
【請求項２】
前記第2許可情報はさらに第2リソース割り当て情報を含み、前記第2リソース割り当て情報が前記サービスデータを伝送するためのリソースを指示し、前記指示されたリソースは前記第1リソース割り当て情報が割り当てたリソースのサブセットである請求項１に記載の方法。
【請求項３】
前記第1リソース割り当て情報は、タイムドメインリソース割り当て情報及び／又は周波数ドメインリソース割り当て情報を含み、前記タイムドメインリソース割り当て情報がサブフレーム位置を指示し、前記周波数ドメインリソース割り当て情報が物理リソースブロック位置を指示する請求項１に記載の方法。
【請求項４】
前記第2許可情報は前記サービスデータを送信する時、送信され、又は、前記第2許可情報はセミパーシステントスケジューリングに用いられ、初期化又は再初期化されたセミパーシステントスケジューリング周期内に送信される請求項１に記載の方法。
【請求項５】
前記第2許可情報を伝送するためのリソース位置が固定されたものであり、前記第1通信機器は前記固定された位置に前記第2許可情報を検出し、又は、
前記第1許可情報が前記第2許可情報を伝送するためのリソース位置を指示し、前記第1通信機器は前記指示に基づいて前記第2許可情報を検出し、又は、
前記第1通信機器は前記第1許可情報が割り当てられたリソースにおいて前記第2許可情報をブラインド検出する請求項１に記載の方法。
【請求項６】
前記第1許可情報は、前記サービスデータの送信電力を確定するための電力制御命令、前記サービスデータ及び／又は第2許可情報の伝送ポート 数及び／又は伝送プリコーディング行列インデックスを指示するためのプリコーディング情報、前記サービスデータの復調基準信号の循環シフト及び／又は直交マスクを指示するための基準信号情報のうちの任意の１つ又は任意の組合せをさらに含む請求項１に記載の方法。
【請求項７】
前記第1許可情報は上位層シグナリングであり、無線リソース制御シグナリングによってベアラされる請求項１に記載の方法。
【請求項８】
前記第2許可情報は、前記サービスデータの送信電力を確定するための電力制御命令、前記サービスデータの伝送ポート 数及び／又は伝送プリコーディング行列インデックスを指示するためのプリコーディング情報、前記サービスデータの復調基準信号の循環シフト及び／又は直交マスクを指示するための基準信号情報のうちの任意の１つ又は任意の組合せをさらに含む請求項１又は２に記載の方法。
【請求項９】
前記第2許可情報は物理層シグナリングであり、制御情報のフォーマットによって送信される請求項１又は２に記載の方法。
【請求項１０】
前記変調符号化モードは前記第2通信機器が前記第1通信機器からフィードバックされた測定結果に基づいて確定され、又は前記変調符号化モードは前記第2通信機器が前記第1通信機器から送信された基準信号を測定することによって確定される請求項１に記載の方法。
【請求項１１】
ネットワークノードから第1許可情報を受信し、前記第1許可情報は少なくともリソースを割り当てるための第1リソース割り当て情報を含み、及び、第2通信機器から第2許可情報を受信し、前記第2許可情報が少なくともサービスデータの変調符号化モードを含むように設置され、前記第1許可情報及び前記第2許可情報は前記第1通信機器と前記第2通信機器との間のサービスデータの伝送をスケジューリングすることに用いられる許可情報受信モジュールと、
第1許可情報及び第2許可情報に基づいて、前記通信機器と通信している相手端末通信機器が伝送されたサービスデータを受信し、及び／又は、第1許可情報及び第2許可情報に基づいて前記相手端末通信機器にサービスデータを伝送するように設置されるサービスデータ送受信モジュールとを含む無線通信機器。
【請求項１２】
前記第2許可情報は第2リソース割り当て情報をさらに含み、前記第2リソース割り当て情報が前記サービスデータを伝送するためのリソースを指示し、前記指示されたリソースが前記第1リソース割り当て情報が割り当てられたリソースのサブセットである請求項１１に記載の無線通信機器。
【請求項１３】
前記第1リソース割り当て情報は、タイムドメインリソース割り当て情報及び／又は周波数ドメインリソース割り当て情報を含み、前記タイムドメインリソース割り当て情報がサブフレーム位置を指示し、前記周波数ドメインリソース割り当て情報が物理リソースブロック位置を指示する請求項１1に記載の無線通信機器。
【請求項１４】
前記第2許可情報は前記サービスデータを送信する時、送信され、又は、前記第2許可情報はセミパーシステントスケジューリングに用いられ、初期化又は再初期化されたセミパーシステントスケジューリング周期内に送信される請求項１１に記載の無線通信機器。
【請求項１５】
前記第1許可情報は、前記サービスデータの送信電力を確定するための電力制御命令、前記サービスデータ及び／又は第2許可情報の伝送ポート数及び／又は伝送プリコーディング行列インデックスを指示するためのプリコーディング情報、前記サービスデータの復調基準信号の循環シフト及び／又は直交マスクを指示するための基準信号情報のうちの任意の１つ又は任意の組合せをさらに含み、又は、
前記第1許可情報は上位層シグナリングであり、無線リソース制御シグナリングによってベアラされる請求項１1に記載の無線通信機器。
【請求項１６】
前記第2許可情報は、前記サービスデータの送信電力を確定するための電力制御命令、前記サービスデータの伝送ポート数及び／又は伝送プリコーディング行列インデックスを指示するためのプリコーディング情報、前記サービスデータの復調基準信号の循環シフト及び／又は直交マスクを指示するための基準信号情報のうちの任意の１つ又は任意の組合せをさらに含み、又は、
前記第2許可情報は物理層シグナリングであり、制御情報のフォーマットによって送信される請求項１１又は１２に記載の無線通信機器。
【請求項１７】
受信モジュール、リソース確定モジュール及び送信モジュールを含み、
前記受信モジュールは、ネットワークノードから第1許可情報を受信し、前記第1許可情報が少なくとも機器同士の通信サービスデータの伝送リソースを割り当てるための第1リソース割り当て情報を含むように設置され、
前記リソース確定モジュールは、少なくとも前記第1許可情報に基づいて前記サービスデータ伝送のリソースを確定するように設置され、
前記送信モジュールは、前記相手端末通信機器に第2許可情報を送信し、前記第2許可情報が少なくとも前記サービスデータの変調符号化モードを含むように設置される無線通信機器。
【請求項１８】
前記受信モジュールは、前記リソース確定モジュールが確定されたリソースにおいて該通信機器と通信している相手端末通信機器から送信された前記機器同士の通信サービスデータを受信するようにさらに設置され、又は、
前記送信モジュールは、前記リソース確定モジュールが確定されたリソースにおいて該通信機器と通信している相手端末通信機器に前記機器同士の通信サービスデータを送信するようにさらに設置される請求項１７に記載の無線通信機器。
【請求項１９】
前記通信機器が測定モジュール及び変調符号化モード確定モジュールを更に含み、
前記測定モジュールは、前記相手端末通信機器から送信された基準信号を検出して測定結果を生成するように設置され、
前記変調符号化モード確定モジュールは、前記測定結果に基づいて前記第2許可情報における変調符号化モード情報を生成するように設置される請求項１７又は１８に記載の無線通信機器。
【請求項２０】
前記通信機器が測定結果受信モジュール及び変調符号化モード確定モジュールを更に含み、
前記測定結果受信モジュールは、前記相手端末通信機器から送信されたチャネル状態情報を受信するように設置され、
前記変調符号化モード確定モジュールは、前記チャネル状態情報に基づいて前記第2許可情報における変調符号化モード情報を生成するように設置される請求項１７又は１８に記載の無線通信機器。
【発明の詳細な説明】
【技術分野】
【０００１】
本発明は通信分野に関し、具体的には、無線通信方法及び通信装置に関する。
【背景技術】
【０００２】
ハニカム通信システムは、有限のスペクトルリソースの多重化を達成したため、従って無線通信技術が急成長を遂げてきた。ハニカムシステムにおいて、２つのユーザ機器（Ｕｓｅｒ  Ｅｑｕｉｐｍｅｎｔ、ＵＥと略称する）の間に伝送する必要のあるサービスがある時、ユーザ機器１（ＵＥ１）からユーザ機器２（ＵＥ２）へのサービスデータは、まずエアインターフェースを介して基地局１に伝送され、基地局１がコアネットワークにより該ユーザデータを基地局２に伝送し、基地局２がさらに上記サービスデータをエアインターフェースを介してＵＥ２に伝送する。ＵＥ２からＵＥ１へのサービスデータ伝送は、類似の処理フローを採用する。図１に示すように、ＵＥ１とＵＥ２が同一のハニカムセルに位置する時、基地局１と基地局２が同一のサイトであるが、１回のデータ送信は、依然として２つの無線スペクトルリソースを消耗し、且つ伝送されるデータは、依然としてコアネットワークを経由する。
【０００３】
このように、ユーザ機器１とユーザ機器２が同一のセルに位置し。且つ距離が近いと、上記のハニカム通信方法は、最適の通信方式ではないことが明らかである。実際に、移動通信サービスの多様化につれて、例えば、ソーシャルネットワーキング、電子決済等の無線通信システムにおける応用は益々広くなり、近距離のユーザ間のサービス伝送の需要は次第に増加している。従って、機器同士（Ｄｅｖｉｃｅ−ｔｏ−Ｄｅｖｉｃｅ、Ｄ２Ｄと略称する）の通信モードはますます注目される。Ｄ２Ｄとは、図２に示すように、サービスデータが基地局を介することなく転送し、直接に源ユーザ機器からエアインターフェースを介して目標ユーザ機器に伝送することである。この通信モードは、従来のハニカムシステムの通信モードと区別される。近距離通信のユーザにとって、Ｄ２Ｄは無線スペクトルリソースを節約するとともに、コアネットワークのデータ送信圧力を低減させる。
【０００４】
Ｄ２Ｄ通信にとって、サービスデータが直接にＵＥの間に伝送され、従って、その通信方式は、従来のハニカム通信方式をそのまま用いることができない。且つ、Ｄ２Ｄ通信とハニカム通信は周波数帯を共有し、従って、どのようにＤ２Ｄ通信の導入がハニカム通信に与える影響を避け且つ最大限にＤ２Ｄ通信の優勢を発揮して、効率的なスケジューリングと伝送方案を実現するかということは、Ｄ２Ｄ通信分野研究の基幹技術である。
【発明の概要】
【発明が解決しようとする課題】
【０００５】
本発明の実施例は無線通信方法及び通信装置を提供し、Ｄ２Ｄ通信時の伝送及びスケジューリング問題を解決する。
【課題を解決するための手段】
【０００６】
本発明の実施例に提供された無線通信方法は、
第1通信機器はネットワークノードから第1許可情報を受信し、前記第1許可情報は少なくともリソースを割り当てるための第1リソース割り当て情報を含むこと、
前記第1通信機器は第2通信機器から第2許可情報を受信し、前記第2許可情報が少なくともサービスデータの変調符号化モードを含むこと、
前記第1許可情報及び前記第2許可情報は前記第1通信機器と前記第2通信機器との間のサービスデータの伝送をスケジューリングすることに用いられること、
前記第1通信機器は前記スケジューリングに基づいて前記第2通信機器が伝送されたサービスデータを受信し、及び／又は、前記第1通信機器は前記スケジューリングに基づいて前記第2通信機器にサービスデータを伝送することを含む。
【０００７】
好ましくは、前記第2許可情報はさらに第2リソース割り当て情報を含み、前記第2リソース割り当て情報が前記サービスデータを伝送するためのリソースを指示し、前記指示されたリソースは前記第1リソース割り当て情報が割り当てたリソースのサブセットである。
【０００８】
好ましくは、前記第1リソース割り当て情報は、タイムドメインリソース割り当て情報及び／又は周波数ドメインリソース割り当て情報を含み、前記タイムドメインリソース割り当て情報がサブフレーム位置を指示し、前記周波数ドメインリソース割り当て情報が物理リソースブロック位置を指示する。
【０００９】
好ましくは、前記第2許可情報は前記サービスデータを送信する時、送信され、又は、前記第2許可情報はセミパーシステントスケジューリングに用いられ、初期化又は再初期化されたセミパーシステントスケジューリング周期内に送信される。
【００１０】
好ましくは、前記第2許可情報を伝送するためのリソース位置が固定されたものであり、前記第1通信機器は前記固定された位置に前記第2許可情報を検出し、又は、
前記第1許可情報が前記第2許可情報を伝送するためのリソース位置を指示し、前記第1通信機器は前記指示に基づいて前記第2許可情報を検出し、又は、
前記第1通信機器は前記第1許可情報が割り当てられたリソースにおいて前記第2許可情報をブラインド検出する。
【００１１】
好ましくは、前記第1許可情報は、前記サービスデータの送信電力を確定するための電力制御命令、前記サービスデータ及び／又は第2許可情報の伝送ポート 数及び／又は伝送プリコーディング行列インデックスを指示するためプリコーディング情報、前記サービスデータの復調基準信号の循環シフト及び／又は直交マスクを指示するための基準信号情報のうちの任意の１つ又は任意の組合せをさらに含む。
【００１２】
好ましくは、前記第1許可情報は上位層シグナリングであり、無線リソース制御シグナリングによってベアラされる。
【００１３】
好ましくは、前記第2許可情報は、前記サービスデータの送信電力を確定するための電力制御命令、前記サービスデータの伝送ポート 数及び／又は伝送プリコーディング行列インデックスを指示するためのプリコーディング情報、前記サービスデータの復調基準信号の循環シフト及び／又は直交マスクを指示するための基準信号情報のうちの任意の１つ又は任意の組合せをさらに含む。
【００１４】
好ましくは、前記第2許可情報は物理層シグナリングであり、制御情報のフォーマットによって送信される。
【００１５】
好ましくは、前記変調符号化モードは前記第2通信機器が前記第1通信機器からフィードバックされた測定結果に基づいて確定され、前記変調符号化モードは前記第2通信機器が前記第1通信機器から送信された基準信号を測定することによって確定される。
【００１６】
本発明の実施例の無線通信機器は、 
ネットワークノードから第1許可情報を受信し、前記第1許可情報は少なくともリソースを割り当てるための第1リソース割り当て情報を含み、及び、第2通信機器から第2許可情報を受信し、前記第2許可情報が少なくともサービスデータの変調符号化モードを含むように設置され、前記第1許可情報及び前記第2許可情報は前記第1通信機器と前記第2通信機器との間のサービスデータの伝送をスケジューリングすることに用いられる許可情報受信モジュールと、
前記許可情報受信モジュールが受信された第1許可情報及び第2許可情報に基づいて、前記通信機器と通信している相手端末通信機器が伝送されたサービスデータを受信し、及び／又は、前記許可情報受信モジュールが受信された第1許可情報及び第2許可情報に基づいて前記相手端末通信機器にサービスデータを伝送するように設置されるサービスデータ送受信モジュールとを含む。
【００１７】
好ましくは、前記第2許可情報は第2リソース割り当て情報をさらに含み、前記第2リソース割り当て情報が前記サービスデータを伝送するためのリソースを指示し、前記指示されたリソースが前記第1リソース割り当て情報が割り当てられたリソースのサブセットである。
【００１８】
本発明の実施例の無線通信機器は、 
受信モジュール、リソース確定モジュール及び送信モジュールを含み、
前記受信モジュールは、ネットワークノードから第1許可情報を受信し、前記第1許可情報が少なくとも機器同士の通信サービスデータの伝送リソースを割り当てるための第1リソース割り当て情報を含むように設置され、
前記リソース確定モジュールは、少なくとも前記第1許可情報に基づいて前記サービスデータ伝送のリソースを確定するように設置され、
前記送信モジュールは、前記相手端末通信機器に第2許可情報を送信し、前記第2許可情報が少なくとも前記サービスデータの変調符号化モードを含むように設置される。
【００１９】
好ましくは、前記受信モジュールは、前記リソース確定モジュールが確定されたリソース中において該通信機器と通信している相手端末通信機器から送信された前記機器同士の通信サービスデータを受信するようにさらに設置され、又は、
前記送信モジュールは、前記リソース確定モジュールが確定されたリソース中において該通信機器と通信している相手端末通信機器に前記機器同士の通信サービスデータを送信するようにさらに設置される。
【００２０】
好ましくは、前記通信機器が測定モジュール及び変調符号化モード確定モジュールをさらに含み、
前記測定モジュールは、前記相手端末通信機器から送信された基準信号を検出して測定結果を生成するように設置され、
前記変調符号化モード確定モジュールは、前記測定結果に基づいて前記第2許可情報中の変調符号化モード情報を生成するように設置される。
【００２１】
好ましくは、前記通信機器が測定結果受信モジュール及び変調符号化モード確定モジュールを含み、
前記測定結果受信モジュールは、前記相手端末通信機器から送信されたチャネル状態情報を受信するように設置され、
前記変調符号化モード確定モジュールは、前記チャネル状態情報に基づいて前記第2許可情報中の変調符号化モード情報を生成するように設置される。
【００２２】
本発明の実施例の無線通信方法は、
第1通信機器と第2通信機器との間の機器同士（Ｄ２Ｄ）の通信のためにリソースを割り当てることと、
前記第1通信機器及び／又は前記第2通信機器に第1許可情報を伝送し、前記第1許可情報は少なくとも第1リソース割り当て情報を含み、前記第1リソース割り当て情報が前記Ｄ２Ｄ通信のために割り当てられたリソースを指示することに用いられることとを含む。
【００２３】
好ましくは、前記第1リソース割り当て情報はタイムドメインリソース割り当て情報及び／又は周波数ドメインリソース割り当て情報を含み、前記タイムドメインリソース割り当て情報が前記割り当てられたリソースのサブフレーム位置を指示し、前記周波数ドメインリソース割り当て情報が前記割り当てられたリソースの物理リソースブロック位置を指示する。
【００２４】
本発明の実施例の無線通信制御機器は、リソース割り当てモジュール及び送信モジュールを含み、
前記リソース割り当てモジュールは、第1通信機器と第2通信機器との間の機器同士（Ｄ２Ｄ）の通信のためにリソースを割り当てるように設置され、
前記送信モジュールは、前記第1通信機器及び又は前記第2通信機器に第1許可情報を伝送し、前記第1許可情報が少なくとも第1リソース割り当て情報を含み、前記第1リソース割り当て情報が、前記リソース割り当てモジュールが割り当てられた前記Ｄ２Ｄ通信に用いられるリソースを指示することに用いられるように設置される。
【発明の効果】
【００２５】
上記の無線通信方法及び装置により、Ｄ２Ｄ通信時の伝送及びスケジューリング問題を解決し、且つハニカム通信に対して制御シグナリングオーバーヘッドを低減させ、機器同士の通信時のリソース利用率を保証する。
【図面の簡単な説明】
【００２６】
【図１】図１は関連技術において二つのＵＥが同一の基地局セルに位置する時のハニカム通信模式図である。
【図２】図２はＤ２Ｄ通信模式図である。
【図３】図３は実施例における通信システムの構造模式図である。
【図４】図４はＬＴＥ／ＬＴＥ−Ａシステム無線フレーム構成模式図である。
【図５】図５はＬＴＥ／ＬＴＥ−Ａシステム物理リソースブロックの構成模式図である。
【図６】図６は具体的な実施例における第1許可情報が指示されたリソースと第2許可情報が指示されたリソースとの位置関係模式図である。
【図７】図７は具体的な実施例における第2許可情報の位置模式図である。
【発明を実施するための形態】
【００２７】
３ＧＰＰ（３ｒｄ  Ｇｅｎｅｒａｔｉｏｎ  Ｐａｒｔｎｅｒｓｈｉｐ  Ｐｒｏｊｅｃｔ）ロングタームエボリューション（Ｌｏｎｇ  Ｔｅｒｍ  Ｅｖｏｌｕｔｉｏｎ、ＬＴＥと略称する）／ＬＴＥ−Ａ（ＬＴＥ−Ａｄｖａｎｃｅｄ）システムを背景として説明するが、本発明への不適当な制限にならない。衝突がない場合、本出願における実施例及び実施例における特徴は、互いに任意に組み合せることができる。
【００２８】
図３に示すように、本実施例には通信機器である図３における第1通信機器が開示され、それは許可情報受信モジュールを含む。前記許可情報受信モジュールは、ネットワークノードから第1許可情報を受信し、前記通信機器と機器同士の通信を行う相手端末通信機器から第2許可情報を受信するように設置され、前記第1許可情報は少なくともリソースを割り当てるための第1リソース割り当て情報を含み、前記第2許可情報は少なくともサービスデータを指示するための変調方式及びコードレートの変調符号化モードを含み、前記第1許可情報及び前記第2許可情報は前記第1通信機器と前記第2通信機器との間のサービスデータの伝送をスケジューリングすることに用いられる。
【００２９】
この通信機器は、前記許可情報受信モジュールが受信された第1許可情報及び第2許可情報に基づいて前記通信機器と通信している相手端末通信機器が伝送されたサービスデータを受信し、及び／又は、前記許可情報受信モジュールが受信された第1許可情報及び第2許可情報に基づいて前記相手端末通信機器にサービスデータを伝送するように設置されるサービスデータ送受信モジュールを更に含む。
【００３０】
前記第2許可情報は第2リソース割り当て情報をさらに含み、前記第2リソース割り当て情報が前記サービスデータを伝送するためのリソースを指示し、前記指示されたリソースが前記第1リソース割り当て情報が割り当てられたリソースにおける一部のリソースである。
【００３１】
前記第1許可情報は上位層シグナリングであり、無線リソース制御シグナリングによってベアラされ、
前記第2許可情報は物理層シグナリングであり、制御情報のフォーマットによって送信される。
【００３２】
本実施例には、別の通信機器である即ち図３中における第2通信機器が更に開示され、それは受信モジュール、リソース確定モジュール及び送信モジュールを含み、
前記受信モジュールは、ネットワークノードから第1許可情報を受信し、前記第1許可情報が少なくとも機器同士の通信サービスデータの伝送リソースを割り当てるための第1リソース割り当て情報を含むように設置され、
前記リソース確定モジュールは、少なくとも前記第1許可情報に基づいて前記サービスデータ伝送のリソースを確定するように設置され、
前記送信モジュールは、前記相手端末通信機器に第2許可情報を送信し、前記第2許可情報は少なくとも前記サービスデータの変調符号化モードを含むように設置される。
【００３３】
前記受信モジュールは、前記リソース確定モジュールが確定されたリソースにおいて該通信機器と機器同士の通信を行う相手端末通信機器から送信された前記機器同士の通信サービスデータを受信するようにさらに設置され、又は、
前記送信モジュールは、前記リソース確定モジュールが確定されたリソースにおいて該通信機器と機器同士の通信を行う相手端末通信機器に前記機器同士の通信サービスデータを受信するようにさらに設置され、
前記リソース確定モジュールは、前記第1許可情報が割り当てられたリソースを、前記サービスデータを伝送するためのリソースとして確定し、又は、前記第1許可情報が割り当てられたリソースにおける一部のリソースを、前記サービスデータを伝送するためのリソースとして確定するように設置される。
【００３４】
前記通信機器は測定モジュール及び変調符号化モード確定モジュールを更に含み、前記測定モジュールが、前記相手端末通信機器が送信された測定基準信号を検出して測定結果を生成するように設置され、前記変調符号化モード確定モジュールが、前記測定結果に基づいて前記第2許可情報における変調符号化モード情報を生成することに用いられる。
【００３５】
前記通信機器は、測定結果受信モジュールを更に含む。前記測定結果受信モジュールは、前記相手端末通信機器から送信されたチャネル状態情報を受信するように設置され、前記変調符号化モード確定モジュールは、前記チャネル状態情報に基づいて前記第2許可情報における変調符号化モード情報を生成することに用いられる。
【００３６】
本実施例が無線通信制御機器を更に提供し、図３に示すように、それはリソース割り当てモジュール、送信モジュールを含む。前記リソース割り当てモジュールは、機器同士の通信にリソースを割り当てるように設置され、前記送信モジュールは、通信機器に第1許可情報を伝送するように設置され、前記第1許可情報が少なくとも第1リソース割り当て情報を含み、前記第1リソース割り当て情報が前記リソース割り当てモジュールが割り当てられた機器同士の通信に用いられるリソースを指示することに用いられる。
【００３７】
本案の無線通信システムは、上記無線通信機器及び無線通信制御機器を含む。
【００３８】
上記システムに対応する無線通信方法は、ネットワークノードによって第1通信機器及び／又は第2通信機器に第1許可情報を伝送することと、前記第2通信機器が前記第1通信機器に第2許可情報を伝送することとを含む。
【００３９】
前記第1許可情報は、少なくともリソースを割り当てるための第1リソース割り当て情報を含み、前記第2許可情報は少なくともサービスデータを指示するための変調方式及びコードレートの変調符号化モードを含み、
前記第2通信機器は、前記割り当てられたリソースにおいて前記第1通信機器に前記サービスデータを伝送し、又は前記第1通信機器は、前記割り当てられたリソースにおいて前記第2通信機器に前記サービスデータを伝送する。
【００４０】
前記第2許可情報は第2リソース割り当て情報をさらに含み、前記第2リソース割り当て情報が前記サービスデータを伝送するためのリソースを指示し、前記指示されるリソースが前記第1リソース割り当て情報が割り当てられたリソースのサブセットである。
【００４１】
前記第1リソース割り当て情報はタイムドメインリソース割り当て情報及び／又は周波数ドメインリソース割り当て情報を含み、前記タイムドメインリソース割り当て情報がサブフレーム位置を指示し、前記周波数ドメインリソース割り当て情報が物理リソースブロック位置を指示する。
【００４２】
前記第2許可情報は前記サービスデータを送信する時、送信され、又は、前記第2許可情報はセミパーシステントスケジューリングに用いられ、初期化又は再初期化されたセミパーシステントスケジューリング周期内のみに送信される。
【００４３】
前記第2許可情報を伝送するためのリソース位置が固定されたものであり、前記第1通信機器は前記固定された位置に前記第2許可情報を検出し、又は、前記第1許可情報が前記第2許可情報を伝送するためのリソース位置を指示し、前記第1通信機器は前記指示に基づいて前記第2許可情報を検出し、又は、前記第1通信機器は前記第1許可情報が割り当てられたリソースにおいて前記第2許可情報をブラインド検出する。
【００４４】
前記第1許可情報は、前記サービスデータの送信電力を確定するための電力制御命令、前記サービスデータ及び／又は第2許可情報の伝送ポート 数及び／又は伝送プリコーディング行列インデックスを指示するためのプリコーディング情報、前記サービスデータの復調基準信号の循環シフト及び／又は直交マスクを指示するための基準信号情報のうちの１つ又は複数をさらに含む。
前記第1許可情報は上位層シグナリングであり、無線リソース制御シグナリングによってベアラされる。
【００４５】
前記第2許可情報は、前記サービスデータの送信電力を確定するための電力制御命令、前記サービスデータの伝送ポート 数及び／又は伝送プリコーディング行列インデックスを指示するためのプリコーディング情報、前記サービスデータの復調基準信号の循環シフト及び／又は直交マスクを指示するための基準信号情報のうちの１つ又は複数をさらに含む。
【００４６】
前記第2許可情報は物理層シグナリングであり、制御情報のフォーマットによって送信される。
【００４７】
前記変調符号化モードは前記第2通信機器が前記第1通信機器からフィードバックされた測定結果に基づいて確定され、又は前記変調符号化モードは前記第2通信機器が前記第1通信機器から送信された基準信号を測定することによって確定される。
【００４８】
ただし、ネットワークノードは、基地局、ノードＢ（Ｎｏｄｅ  Ｂ）、エボリューションのノードＢ（ｅｖｏｌｖｅｄ  Ｎｏｄｅ  Ｂ／ｅｎｈａｎｃｅｄ  Ｎｏｄｅ  Ｂ、ｅＮＢと略称する）、独立な物理セル識別子を有する中継局又は中継ノード（Ｒｅｌａｙ  Ｎｏｄｅ、Ｒｅｌａｙ又はＲＮと略称する）、ローカルエリアネットワーク（Ｌｏｃａｌ  Ａｒｅａ  Ｎｅｔｗｏｒｋ、ＬＡＮと略称する）におけるアクセスノード、機能がより大きいユーザ機器（例えば、中継機能を有するユーザ機器、即ち該ユーザ機器はネットワークにおいて他のユーザ機器のデータを中継することができる）、機器同士の通信サーバ等を含む。通信機器はＬＴＥ／ＬＴＥ−Ａ  ＵＥ、媒体サーバ（ｍｅｄｉａ  ｓｅｒｖｅｒ）、独立しない物理セル識別子を有する中継局、カレントセルの物理セル識別子と同様の識別子を有する中継局を含むが、それらに限らず、即ち、本案に記載の機器同士の通信はユーザ機器の間の通信、中継局とユーザ機器との間の通信、及び媒体サーバとユーザ機器との間の通信を含む。
【００４９】
本案の典型的な実施例において、ネットワークノードは同時に第1通信機器及び第2通信機器に第1許可情報を伝送し、第2通信機器が第1通信機器に第2許可情報を伝送し、第2通信機器が第1許可情報における伝送サービスデータのリソース位置に、第2許可情報における変調符号化モードを採用してデータの符号化及び変調等の処理を行った後、第1通信機器にサービスデータを送信し、第1通信機器が第1許可情報における伝送サービスデータのリソース位置に基づいてデータを受信し、且つ第2許可情報における変調符号化モードに基づいて受信されたデータに対して復号化及び復調等の処理を行う。本案において、ネットワークノードは２つの通信機器のうちの一方のみに許可情報を送信する時、他方の通信機器において第1許可情報が既知であることをデフォルトするように設置してもよく、又は、他方の通信機器が他のネットエレメントから第1許可情報を取得する。
【００５０】
ＬＴＥ／ＬＴＥ−Ａシステム下りリンクは、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ、ＯＦＤＭＡと略称する）技術を基礎とし、上りリンクは、ＳＣ−ＦＤＭＡ（Ｓｉｎｇｌｅ  ｃａｒｒｉｅｒ−Ｆｒｅｑｕｅｎｃｙ  Ｄｉｖｉｓｉｏｎ  Ｍｕｌｔｉｐｌｅｘｉｎｇ  Ａｃｃｅｓｓ、単搬送波周波数分割多重アクセス）多重アクセス方式を採用する。ＯＦＤＭＡ／ＳＣ−ＦＤＭＡシステムにおいて、通信リソースは時間-周波数という２次元の形式を採用する。例えば、ＬＴＥ／ＬＴＥ−Ａシステムに対して、図４に示すように、上りリンク及び下りリンクの通信リソースは、時間の方向にいずれも無線フレーム（ｒａｄｉｏ  ｆｒａｍｅ、フレームと略称する）を単位として分けられ、各無線フレームの長さが１０ｍｓで、１０個の長さが１ｍｓであるサブフレーム（ｓｕｂ−ｆｒａｍｅ）を含み、各サブフレームが２つの長さが０．５ｍｓであるスロット（ｓｌｏｔ）をさらに含む。サイクリックプレフィックス（Ｃｙｃｌｉｃ  Ｐｒｅｆｉｘ、ＣＰと略称する）の長さの相違に基づいて、各スロットは７個又は６個のＯＦＤＭ／ＳＣ−ＦＤＭ符号を含み、ここで、７又は６がそれぞれノーマルサイクリックプレフィックス（Ｎｏｒｍａｌ  ＣＰ）及びエクステンドサイクリックプレフィックス（Ｅｘｔｅｎｄｅｄ  ＣＰ）に対応する。
【００５１】
周波数の方向に、上りリンク及び下りリンクの通信リソースは、サブキャリア（ｓｕｂｃａｒｒｉｅｒ）を単位として分けられ、具体的な通信において、リソース割り当ての最小単位がリソースブロック（Ｒｅｓｏｕｒｃｅ  Ｂｌｏｃｋ、ＲＢと略称する）であり、物理リソースの１つの物理リソースブロック（Ｐｈｙｓｉｃａｌ  ＲＢ、ＰＲＢと略称する）に対応する。図５に示すように、１つのＰＲＢは、周波数領域に１２個のサブキャリアを含み、１２個のサブキャリアが時間領域の１つのスロットに対応する。各ＯＦＤＭ／ＳＣ−ＦＤＭ符号において１つのサブキャリアに対応するリソースはリソースエレメント（Ｒｅｓｏｕｒｃｅ  Ｅｌｅｍｅｎｔ、ＲＥと略称する）と称される。
【００５２】
ＬＴＥ／ＬＴＥ−Ａハニカム通信システムにおいて、サービスデータは下りリンク共有チャネル（ＤＬ−ＳＣＨ、Ｄｏｗｎｌｉｎｋ  Ｓｈａｒｅｄ  Ｃｈａｎｎｅｌ）及び上りリンク共有チャネル（ＵＬ−ＳＣＨ、Ｕｐｌｉｎｋ  Ｓｈａｒｅｄ  Ｃｈａｎｎｅｌ）において伝送され、物理層の物理下りリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）及び物理上りリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）に対応する。且つ、共有チャネルにおけるデータ送信に対して、相応の制御情報で指示する必要があり、指示された内容は、リソース割り当てを含み、即ちデータ送信のリソース位置、変調符号化モード、電力制御情報、ＭＩＭＯ（Ｍｕｌｔｉ−Ｉｎ  Ｍｕｌｔｉ−Ｏｕｔ）の関連情報等を含む。ハニカム通信において、上記制御情報は、ＤＣＩ（Ｄｏｗｎｌｉｎｋ  Ｃｏｎｔｒｏｌ  Ｉｎｆｏｒｍａｔｉｏｎ）の形式で物理下りリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）によって送信される。
【００５３】
ＬＴＥ／ＬＴＥ−Ａハニカムシステムに基づく機器同士の通信に対して、通信は許可周波数帯に基づいて行われ、即ちハニカム通信及びＤ２Ｄ通信が同様の周波数帯を占める。従って、スケジューリングが不適当であると、Ｄ２Ｄ通信とハニカム通信の厳しい干渉をもたらす可能性がある。一方、Ｄ２Ｄ通信過程において、ネットワーク側は、サービスデータの伝送に参与せず、Ｄ２Ｄ通信の制御のみを参加する可能性がある。ところが、通信過程が完全にネットワーク側によって制御されると、つまり、ネットワーク側はスケジューリングに関連するすべての情報を集める必要があり、このようにすれば、シグナリングのフィードバックオーバーヘッド及び制御シグナリングオーバーヘッドの増加を引き起こす可能性があり、従って、通信遅延が増加され、リソース利用率が低減される恐れがある。
【００５４】
具体的な実施例1
本実例の無線通信方法に基づいて、ネットワークノードは、機器同士の通信の受信機器（第1通信機器）及び／又は機器同士の通信の送信機器（第2通信機器）に第1許可情報を伝送し、Ｄ２Ｄ通信の送信端機器（第2通信機器）は、Ｄ２Ｄ通信の受信端機器（第1通信機器）に第2許可情報及びサービスデータを伝送する。ここで、第1許可情報には、少なくともリソース割り当て情報を含み、第2許可情報には、少なくとも変調符号化モードを含む。
【００５５】
本実例において、第1許可情報は、上位層シグナリングの方式で送信される。例えば、Ｄ２Ｄリンクを確立する時、ネットワークノード（例えば基地局ｅＮＢ）は上位層シグナリングによって、例えばＲＲＣ（Ｒａｄｉｏ  Ｒｅｓｏｕｒｃｅ  Ｃｏｎｔｒｏｌ、無線リソース制御）シグナリングによって、第1通信機器、及び／又は第2通信機器に、割り当てられたＤ２Ｄ通信に用いられるリソースを指示するように、第1許可情報を送信する。
【００５６】
本実例において、第2許可情報は、物理層シグナリングの方式で動的に送信される。例えば、第2通信機器、ＵＥ又は媒体サーバ（ｍｅｄｉａ  ｓｅｒｖｅｒ）、又は中継局は、割り当てられたリソースにおいて第1通信機器に第2許可情報及びサービスデータを伝送し、サービスデータがＬＴＥ／ＬＴＥ−ＡシステムのＰＵＳＣＨ又はＰＤＳＣＨのフォーマットで伝送することができる。ここで、第2許可情報は、少なくとも変調符号化モード（ＭＣＳ、Ｍｏｄｕｌａｔｉｏｎ  ａｎｄ  Ｃｏｄｉｎｇ  Ｓｃｈｅｍｅ）を含み、該ＭＣＳが前記サービスデータのＭＣＳレベル及び／又は余分なバージョン（Ｒｅｄｕｎｄａｎｃｙ  Ｖｅｒｓｉｏｎ）を指示することに用いられる。
【００５７】
又は、第2許可情報は、セミパーシステントスケジューリング（Ｓｅｍｉ−Ｐｅｒｓｉｓｔｅｎｔ  Ｓｃｈｅｄｕｌｉｎｇ、ＳＰＳ）の方式で送信される。例えば、第2通信機器、ＵＥ、媒体サーバ又は中継局は、割り当てられたリソースにおいて第1通信機器にサービスデータ（例えば、ＰＵＳＣＨ又はＰＤＳＣＨのフォーマットによって伝送する）を伝送する時、初期化又は再初期化されるＳＰＳ伝送周期内のみに第2許可情報を１回伝送し、ここで、第2許可情報が変調符号化モードＭＣＳを少なくとも含み、該ＭＣＳが前記サービスデータのＭＣＳレベル及び／又は余分なバージョンを指示することに用いられる。
【００５８】
好ましくは、本実例において、第1許可情報は、第1通信機器及び／又は第2通信機器に前記サービスデータ伝送の電力を指示するための電力制御コマンド（Ｐｏｗｅｒ  Ｃｏｎｔｒｏｌ  Ｃｏｍｍａｎｄ）、前記サービスデータ及び／又は第2許可情報の伝送ポート 数及び／又は伝送プリコーディング行列インデックス（Ｐｒｅｃｏｄｉｎｇ  Ｍａｔｒｉｘ  Ｉｎｄｅｘ、ＰＭＩ）を指示するためのプリコーディング（Ｐｒｅｃｏｄｉｎｇ）情報、前記サービスデータの復調基準信号の的循環シフト（Ｃｙｃｌｉｃ  Ｓｈｉｆｔ）及び／又は直交マスク（Ｏｒｔｈｏｇｏｎａｌ  Ｃｏｖｅｒ  Ｃｏｄｅ、ＯＣＣ）を指示するための基準信号情報の任意の１つ又は任意の組合せをさらに含む。
【００５９】
好ましくは、本実例において、第2許可情報は前記サービスデータの伝送ポート 数及び／又は伝送プリコーディング行列インデックスを指示するためのプリコーディング情報、前記サービスデータの復調基準信号の循環シフト及び／又は直交マスクを指示するための基準信号情報の任意の１つ又は任意の組合せを含む。
【００６０】
具体的な実施例2
本実例の無線通信方法に基づいて、ネットワークノードは、Ｄ２Ｄ通信の送信機器（第2通信機器）及び／又はＤ２Ｄ通信の受信機器（第1通信機器）に第1許可情報を伝送し、Ｄ２Ｄ通信の送信端機器（第2通信機器）がＤ２Ｄ通信の受信端機器（第1通信機器）に第2許可情報を伝送する。ここで、第1許可情報には、少なくとも第1リソース割り当て情報を含み、第2許可情報には、少なくとも第2リソース割り当て情報及び変調符号化モードを含む。
【００６１】
本実例において、第1許可情報は、上位層シグナリングの方式で送信される。例えば、Ｄ２Ｄリンクを確立する時、ネットワークノード（例えば基地局ｅＮＢ）は、例えばＲＲＣシグナリングである上位層シグナリングによって、例えばＵＥである第1通信機器、及び／又は例えばＵＥ、ｍｅｄｉａ  ｓｅｒｖｅｒ又は中継局である第2通信機器に、割り当てられたＤ２Ｄ通信に用いられるリソースを指示するように、第1許可情報を送信する。
【００６２】
本実例において、第2許可情報は、物理層シグナリングの方式で動的に送信される。例えば、第2通信機器、ＵＥ又は媒体サーバ（ｍｅｄｉａ  ｓｅｒｖｅｒ）又は中継局は、割り当てられたリソースにおいて第1通信機器に第2許可情報及びサービスデータ（例えば、ＰＵＳＣＨ又はＰＤＳＣＨのフォーマットによって伝送される）を伝送し、ここで、第2許可情報が少なくとも第2リソース割り当て情報及び変調符号化モードを含み、該第2リソース割り当て情報が前記サービスデータ伝送が占めるリソースを指示することに用いられ、即ち、第2リソース割り当て情報が第1許可情報における第1リソース割り当て情報が割り当てられたリソースの基に、さらにリソースを割り当て、前記第2通信機器が前記第1通信機器に前記サービスデータを伝送することに用いられる。第2許可情報におけるＭＣＳは、前記サービスデータの伝送ＭＣＳレベル及び／又は余分なバージョンを指示することに用いられる。
【００６３】
具体的な例は、図６に示す通りである。各ボックスが１つのＲＢペアを表し、システム帯域幅はｎ個のＲＢである。ここで、第1許可情報における第1リソース割り当て情報が割り当てられたリソースは、図における番号ｋ＋１〜ｋ＋ｍのｍ個のＲＢであり、該リソース割り当てが半永続に割り当られるものである。サービスデータが伝送される時、例えばＵＥ、ｍｅｄｉａ  ｓｅｒｖｅｒ又は中継局である第2通信機器は、このｍ個のＲＢにおいて更に1部分のＲＢを割り当て、第2通信機器が第1通信機器にサービスデータを伝送することに用いられ、図において、割り当てられたのが番号ｋ＋１〜ｋ＋ｍ−２のｍ−２個のＲＢである。第1許可情報が割り当てられた残りのＲＢは、他の機器に割り当てられることができ、他の機器の通信する時に用いられる。第2許可情報は、第1許可情報が割り当てられたリソースにおいて伝送される。
【００６４】
好ましくは、本実例中において、第1許可情報は、第1通信機器及び／又は第2通信機器に前記サービスデータ伝送の電力を指示するための電力制御コマンド、前記サービスデータ及び／又は第2許可情報の伝送ポート 数及び／又は伝送プリコーディング行列インデックスを指示するためのプリコーディング情報、前記サービスデータの復調基準信号の循環シフト及び／又は直交マスクを指示するための基準信号情報のうちの任意の１つ又は任意の組合せを更に含む。
【００６５】
好ましくは、本実例において、第2許可情報は、前記サービスデータの伝送ポート 数及び／又は伝送プリコーディング行列インデックスを指示するためプリコーディング情報、前記サービスデータの復調基準信号の循環シフト及び／又は直交マスクを指示するための基準信号情報のうちの任意の１つ又は任意の組合せを更に含む。
【００６６】
本実例において、第2許可情報は、第2通信機器で第1通信機器をスケジューリングして伝送されてもよく、即ち第1通信機器は、割り当てられたリソースにおいて第2通信機器にサービスデータを伝送し、第2通信機器が割り当てられたリソースにおいて前記サービスデータを受信する。前記第2許可情報は、前記サービスデータのリソース割り当て及び変調符号化モードを指示する。ここでは繰り返して説明しない。
【００６７】
さらに、本実例の第2許可情報は、セミパーシステントスケジューリングに用いられてもよく、即ち、初期化又は再初期化されるＳＰＳ伝送周期内のみに第2許可情報を１回伝送する。ここでは繰り返して説明しない。
【００６８】
具体的な実施例3
第2通信機器は、少なくともチャネル測定結果に基づいて第2許可情報におけるＭＣＳレベルを確定する。前記チャネル測定結果は、第2通信機器が第1通信機器から送信される基準信号（Ｒｅｆｅｒｅｎｃｅ  Ｓｉｇｎａｌ）を測定して得られ、又は、第1通信機器は、第2通信機器から送信される基準信号を測定してチャネル測定結果を取得し、且つ前記チャネル測定結果を第2通信機器にフィードバックする。前記基準信号は、復調基準信号（Ｄｅｍｏｄｕｌａｔｉｏｎ  Ｒｅｆｅｒｅｎｃｅ  Ｓｉｇｎａｌ、ＤＭＲＳ）、サウンディング基準信号（Ｓｏｕｎｄｉｎｇ  Ｒｅｆｅｒｅｎｃｅ  Ｓｉｇｎａｌ、ＳＲＳ）、ランダムアクセスプリアンブル（Ｒａｎｄｏｍ  Ａｃｃｅｓｓ  ｐｒｅａｍｂｌｅ）、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）、機器同士の通信専用基準信号のうちの１種又は複数種であってもよい。
【００６９】
具体的な実施例4
本実例は第1許可情報の例示的な説明を提供する。
【００７０】
第1許可情報は、少なくともリソース割り当てシグナリングを含む。さらに、前記リソース割り当てシグナリングは、タイムドメインリソース割り当て及び周波数ドメインリソース割り当てのうちの少なくとも１種を含む。
【００７１】
ここで、タイムドメインリソース割り当ては、機器同士の通信のタイムドメインリソース位置、つまりサブフレーム位置を確定することに用いられる。前記指示の方式は、ビットマップ（ｂｉｔｍａｐ）の形式であってもよい。例えば、６ビット、又は２４ビット、又は１０ビット、又は４０ビット、又は８ビットを採用してサブフレーム位置を指示し、ここで、ビットが１に置かれると、該ビットが代表されるサブフレームは、Ｄ２Ｄ伝送サブフレーム（即ちサブフレームにおけるリソースは、割り当てられてＤ２Ｄ伝送に用いられてもよい）である。６ビットの場合、ＦＤＤモードにおいて、各ビットは、各下りリンク無線フレームの｛１、２、３、６、７、８｝サブフレームを代表し、ＴＤＤモードにおいて、各ビットは、各無線フレームの｛２、３、４、７、８、９｝サブフレーム（サブフレーム番号０−９）を代表し、又はその前の五つのビットは、各無線フレームの｛３、４、７、８、９｝サブフレームを代表し、最後の１つのビットが使用しない。ＴＤＤモードにおいて、上りリンクサブフレームは、割り当てられることができなく、即ち、上記ビットが上りリンクサブフレームに対応すると無視される。６ビットの他の解釈について、各ビットは、各無線フレームの｛２、３、４、７、８、９｝サブフレームを代表し、上りリンクサブフレームの割り当てのみを示し、下りリンクサブフレームが割り当てられることがなく、即ち、上記ビットが下りリンクサブフレームに対応すると無視される。２４ビットの場合は、６ビットの場合と類似し、ところが、各２４ビットは、四つの無線フレームのＤ２Ｄサブフレーム指示を代表する。１０ビットの場合、各ビットは、各無線フレームの上りリンクサブフレーム割り当てを代表し、ＴＤＤに対して、下りリンクサブフレームが割り当てられることができなく、下りリンクサブフレームに合うと、スキップする。４０ビットの場合は、１０ビットの場合と類似し、ところが、各４０ビットは、四つの無線フレームのサブフレーム指示を代表する。８ビットの場合、ＦＤＤモードに応用され、各ビットは、１つの上りリンクプロセスが対応する上りリンクサブフレームを代表し、８ビットの初期がＳＦＮｍｏｄ４＝０を満たす無線フレームであり、ＳＦＮがシステムフレーム番号（Ｓｙｓｔｅｍ  Ｆｒａｍｅ  Ｎｕｍｂｅｒ）を示し、ｍｏｄがモジュラ演算を示す。ＴＤＤシステムに対して、上りリンクプロセスの割り当て方法を採用してもよく、即ち、異なるサブフレーム上りリンク／下りリンク設定（ＵＬ−ＤＬ  ｃｏｎｆｉｇｕｒａｔｉｏｎ）に対して、一部の上りリンクプロセスが対応する上りリンクサブフレームを割り当てＤ２Ｄ伝送サブフレームとする。
【００７２】
周波数ドメインリソース割り当ては、機器同士の通信サービスデータ伝送の周波数ドメイン位置、つまり割り当てられた物理リソースブロックＰＲＢを確定することに用いられる。割り当て方法は、ＬＴＥ／ＬＴＥ−Ａハニカム通信時のリソース割り当て方法を採用してもよく、即ちＬＴＥ／ＬＴＥ−Ａシステムに定義された、ＤＣＩフォーマットにおけるリソース割り当てフィールドによってリソース割り当てを行う、リソースブロックグループ（Ｒｅｓｏｕｒｃｅ  Ｂｌｏｃｋ  Ｇｒｏｕｐ、ＲＢＧ）割り当て（ｔｙｐｅ  ０リソース割り当て）、パケットに基づくリソースブロック割り当て（ｔｙｐｅ  １リソース割り当て）、ツリー連続リソースブロックリソース割り当て（ｔｙｐｅ  ２リソース割り当て）という３種のリソース割り当て方法であり、ここでは繰り返して説明しない。
【００７３】
具体的な実施例5
本実例は第2許可情報の例示的な説明を提供する。仮にシステム設定ＬＴＥ／ＬＴＥ−Ａハニカム通信システムの上りリンクサブフレームが、Ｄ２Ｄサブフレームであると、第2通信機器は、ＬＴＥ／ＬＴＥ−Ａハニカムシステムの上りリンクサブフレームに第1通信機器へＤ２Ｄ伝送を行う。
【００７４】
第2許可情報が伝送されたリソース位置は、固定されてもよい。例えば、第1許可情報が割り当てられたＤ２Ｄサービス伝送リソースにおいて、一部のリソースが第2許可情報の伝送に用いられることを約束し、又は第1許可情報において同時に第2許可情報を伝送するためのリソース位置を指示する。図７に示すように、例えば、第2許可情報が伝送されたリソースは、あるＲＢ、又はＲＢペアであることを約束又は指定し、各ボックスが１つのＲＢを代表し、約束又は指定された第2許可情報伝送位置は、図において影で示すＲＢである。Ｄ２Ｄがマルチアンテナ伝送をサポートすると、さらに前記第2許可情報を伝送するためのアンテナポートを約束又は指定することができる。約束された第2許可情報伝送リソースは、ＲＢにおける部分的な固定リソース、例えば第1許可情報が割り当てられたリソースにおける復調基準信号（ＤＭＲＳ、Ｄｅｍｏｄｕｌａｔｉｏｎ  Ｒｅｆｅｒｅｎｃｅ  Ｓｉｇｎａｌ）の両側の符号リソースであってもよい。第1通信機器は、第2許可情報を検出した後、前記許可情報の指示に基づいて前記Ｄ２Ｄサービスデータを受信又は送信する。
【００７５】
又は、第2許可情報の送信方法を約束することができ、具体的な送信位置は、第1通信機器がブラインド検出（Ｂｌｉｎｄ  Ｄｅｃｏｄｉｎｇ）することによって確定される。例えば、第2許可情報をＲＢの形式で送信することを約束し、具体的なＲＢ位置は、第1通信機器がＤ２Ｄ伝送リソースにおいてブラインド検出することによって確定されてもよい。
【００７６】
本実例において、第2許可情報は、前記サービスデータ伝送に使用された変調方式及び符号化方式（ビットレート）を指示するための変調符号化モードを少なくとも含む。第2許可情報は、前記サービスデータの伝送ポート 数及び／又は伝送プリコーディング行列インデックスを指示するためのプリコーディング情報、前記サービスデータの復調基準信号の循環シフト及び／又は直交マスクを指示するための基準信号情報を更に含んでもよい。
【００７７】
好ましくは、第2許可情報は、スケジューリング／指示されたサービスデータとともに同一のサブフレームに送信されてもよく、サービスデータに先立って送信されてもよい。サービスデータに先立って送信することは、カレントサブフレームが伝送された第2許可情報を指し、後続のＤ２Ｄサブフレームのサービスデータ伝送を指示することに用いられる。
【００７８】
具体的な実施例6
本実例は第2許可情報の他の例示的な説明を提供する。仮にシステム設定ＬＴＥ／ＬＴＥ−Ａハニカム通信システムの下りリンクサブフレームが、Ｄ２Ｄサブフレームであると、第2通信機器は、ＬＴＥ／ＬＴＥ−Ａハニカムシステムの下りリンクサブフレームに第1通信機器へＤ２Ｄ伝送を行う。
【００７９】
第2許可情報が伝送されたリソース位置は、固定されてもよい。例えば、第1許可情報が割り当てられたＤ２Ｄサービス伝送リソースにおいて、一部のリソースが第2許可情報の伝送に用いられることを約束し、又は第1許可情報において同時に第2許可情報を伝送するためのリソース位置を指示する。例えば、第2許可情報が伝送されたリソースは、あるＲＢ、又はＲＢペアであることを約束又は指定する。Ｄ２Ｄがマルチアンテナ伝送をサポートすると、さらに前記第2許可情報を伝送するためのポート を約束又は指定することができる。第1通信機器は、第2許可情報を検出した後、前記許可情報の指示に基づいて前記Ｄ２Ｄサービスデータを受信又は送信する。
【００８０】
又は、第2許可情報の送信方法を約束することができ、具体的な送信位置は、第1通信機器がブラインド検出（Ｂｌｉｎｄ  Ｄｅｃｏｄｉｎｇ）することによって確定される。例えば、第2許可情報をＲＢの形式で送信することを約束し、具体的なＲＢ位置は、第1通信機器がＤ２Ｄ伝送リソースにおいてブラインド検出することによって確定されてもよい。好ましくは、前記伝送リソースは、第1許可情報が割り当てられたリソースである。
【００８１】
本実例において、第2許可情報は、前記サービスデータ伝送に使用された変調方式及び符号化方式（ビットレート）を指示するための変調符号化モードを少なくとも含む。第2許可情報は、前記サービスデータの伝送ポート 数及び／又は伝送プリコーディング行列インデックスを指示するためのプリコーディング情報、前記サービスデータの復調基準信号の循環シフト及び／又は直交マスクを指示するための基準信号情報を更に含んでもよい。
【００８２】
他の実施方式において、第2許可情報は、第2リソース割り当てシグナリング及び変調符号化モードを少なくとも含む。前記第2リソース割り当てシグナリングは、第1許可情報が割り当てられたリソースの基に、さらにリソースを割り当てることに用いられ、前記さらに割り当てられたリソースは、第2通信機器が第1通信機器にサービスデータを伝送することに用いられる。
【００８３】
ただし、衝突がない場合、本出願における実施例及び実施例における特徴は互いに任意に組み合せることができる。
【００８４】
もちろん、本発明はさらに他の多種の実施例を有してもよく、本発明の趣旨とその実質を逸脱しない場合に、本分野に詳しい当業者が、本発明に基づいて各種の相応の変更と変形を行うことができるが、これらの相応の変更と変形がいずれも本発明に添付される請求の範囲の保護範囲に属する。
【００８５】
当業者は、上記方法における全部又は一部のステップをプログラムによって関連ハードウェアに命令を出して完成させることができ、前記プログラムがコンピュータ読み取り可能な記憶媒体、例えば読取り専用メモリ、ディスク又は光ディスク等に記憶してもよいと理解することができる。選択肢として、上記実施例の全部又は一部のステップが一つ又は複数の集積回路により実現されてもよい。相応的に、上記実施例における各モジュール／ユニットはハードウェアの形式で実現されてもよく、ソフトウェア機能モジュールの形式で実現されてもよい。本発明は如何なる特定形式のハードウェアとソフトウェアの組合せに限らない。
【産業上の利用可能性】
【００８６】
上記無線通信方法及び装置は、Ｄ２Ｄ通信時の伝送及びスケジューリング問題を解決し、且つハニカム通信に対して制御シグナリングオーバーヘッドを低減させ、機器同士の通信時のリソース利用率を保証する。
【図１】
0005873191.tif 000002
【図２】
0005873191.tif 000003
【図３】
0005873191.tif 000004
【図４】
0005873191.tif 000005
【図５】
0005873191.tif 000006
【図６】
0005873191.tif 000007
【図７】
0005873191.tif 000008